(57)【要約】【課題】内部に立体物を配置したい場合であっても容易に設置することができる空気圧式立体物を提供する。【解決手段】本発明にかかる空気圧式立体物１００は、立体物の外郭を造形する立体形成外面シート１０と、前記立体形成外面シートの下方端部又は下方端部近傍の外側に設けられた固定用シート片５０と、前記立体形成外面シートの中に空気を供給する空気供給手段３０と、を備え、前記空気圧式立体物の底面には、開口部が設けられていることを特徴とする。【選択図】図１
2019108791.tif 000002
【特許請求の範囲】
【請求項１】
空気を供給することにより、膨張状態を維持する空気圧式立体物において、
立体物の外郭を造形する立体形成外面シートと、
前記立体形成外面シートの下方端部又は下方端部近傍の外側に設けられた固定用シート片と、
前記立体形成外面シートの中に空気を供給する空気供給手段と、
を備え、
前記空気圧式立体物の底面には、開口部が設けられていることを特徴とする空気圧式立体物。
【請求項２】
空気を供給することにより、膨張状態を維持する空気圧式立体物において、
立体物の外郭を造形する立体形成外面シートと、
前記立体形成外面シートの下方端部又は下方端部近傍の内側に設けられた固定用シート片と、
前記立体形成外面シートの中に空気を供給する空気供給手段と、
を備え、
前記空気圧式立体物の内側下面には、開口部が設けられていることを特徴とする空気圧式立体物。
【請求項３】
前記開口部は、底面全体の８０％以上の面積を有することを特徴とする請求項１又は２に記載の空気圧式立体物。
【請求項４】
前記固定用シート片は、前記立体形成外面シートの全周に設けられていることを特徴とする請求項１から３のいずれか１項に記載の空気圧式立体物。
【請求項５】
前記固定用シート片には、錘を載置可能な錘載置領域を備えていることを特徴とする請求項１から４のいずれか１項に記載の空気圧式立体物。
【請求項６】
前記固定用シート片には、固定具を挿すことができる固定具用挿入孔が設けられていることを特徴とする請求項１から５のいずれか１項に記載の空気圧式立体物。
【請求項７】
前記固定用シート片には、前記錘を収納する収納部を有することを特徴とする請求項１から６のいずれか１項に記載の空気圧式立体物。
【請求項８】
請求項１から４のいずれか１項に記載の空気圧式立体物において、
さらに、錘を備えていることを特徴とする空気圧式立体物。
【請求項９】
前記立体外面シートは、除幕可能なように、分割可能に形成されていることを特徴とする請求項１から８のいずれか１項に記載の空気圧式立体物。
【発明の詳細な説明】
【技術分野】
【０００１】
本発明は、空気圧式立体物に関する。
【背景技術】
【０００２】
本件出願人は、短い製作期間、低い製作コストで、視認性、表現性に優れ、また平面画像を忠実に再現できる立体的な空気圧式造形体を提案している。
【０００３】
かかる空気圧造形体は、画像が表面に印刷された前面シートと反転画像が印刷された背面シートが、各々の裏面同士が向かい合うように設置され、前面シート周縁部と背面シート周縁部が後述する側面シートを介して繋がるように縫合され、袋状に形成されているもの（底面も有しているもの）が提案されている（特許文献１）。
【０００４】
しかしながら、底面を有する袋状に形成していると、内部に立体物を配置したい場合等に狭い入り口から搬入しなければならず、非常に手間であるという問題点があった。また、除幕式等に使用する場合において、例えば自動車等を内部に配置しなければならない場合、底面上に自動車を配置することが非常に困難になるという問題点があった。さらに、底面に高級な絨毯を敷き詰めるといった装飾等をしたい場合に立体造形体の中にこうした絨毯を敷き詰めるのは非常に困難であるという問題点があった。
【０００５】
さらに、底面側も閉鎖して形成されていると、地面や床面に直接配置した場合に底面側が大きく膨らんで底面側も球体となろうとする力が大きく働き、空気圧造形体の周囲が大きく浮いてしまい、安定性が悪くなるという問題点があった。
【先行技術文献】
【特許文献】
【０００６】
【特許文献１】特開２００７−６５２３６号公報
【発明の概要】
【発明が解決しようとする課題】
【０００７】
そこで、本発明は、上記課題を鑑みてなされたものであり、内部に立体物を配置したい場合であっても容易に設置することができる空気圧式立体物を提供することを主たる目的とする。また、地面や床面をそのまま内部の床面として使用することができる空気圧式立体物を提供することも目的とする。さらに、地面や床面に設置した場合に、底辺が大きく膨らむことがなく安定して設置することができる空気圧式立体物を提供することを目的とする。
【課題を解決するための手段】
【０００８】
本発明は、上述の目的を達成するために以下の手段を採った。
【０００９】
本発明にかかる空気圧式立体物は、
空気を供給することにより、膨張状態を維持する空気圧式立体物において、
立体物の外郭を造形する立体形成外面シートと、
前記立体形成外面シートの下方端部又は下方端部近傍の外側に設けられた固定用シート片と、
前記立体形成外面シートの中に空気を供給する空気供給手段と、
を備え、
前記空気圧式立体物の底面には、開口部が設けられていることを特徴とする。
【００１０】
底面に開口部を設けることによって、大きな立体物を内部に配置したい場合であっても上方から被せることで、内部に立体物を配置することができる。また、床面を装飾したい場合等においては、あらかじめカーペットや絨毯等の装飾用の床面シートを敷設しておくことで、そのまま床面として使用することができる。また、底面に開口部を設けることで、底面が球体になろうとして膨らむことが低減されるので、空気圧式立体物の周囲が大きく浮き上がることを防止することができる。また、固定用シート片で支持する際に、周囲の浮き上がりが小さいため、従来の底がある空気圧式立体物よりも弱い支持力で支持することができる。
【００１１】
また、本発明にかかる空気圧式立体物は、
空気を供給することにより、膨張状態を維持する空気圧式立体物において、
立体物の外郭を造形する立体形成外面シートと、
前記立体形成外面シートの下方端部又は下方端部近傍の内側に設けられた固定用シート片と、
前記立体形成外面シートの中に空気を供給する空気供給手段と、
を備え、
前記空気圧式立体物の内側下面には、開口部が設けられていることを特徴とする。
【００１２】
本発明によれば、上述した発明と同様の効果を発揮することができるとともに、固定用シート片を立体形成外面シートの内側に配置されているので、固定用シート片が空気圧式立体物の外側に露出することを防止することができるため、美観性に優れた空気圧式立体物とすることができる。
【００１３】
また、本発明にかかる空気圧式立体物において、前記開口部は、底面全体の８０％以上の面積を有することを特徴とするものであってもよい。底面全体の８０％以上開口させることで、立体形成外面シート内に配置される立体物がかなり大きいものであっても被せることで容易に配置することができるようになる。
【００１４】
また、本発明にかかる空気圧式立体物において、前記固定用シート片は、立体形成外面シートの全周に設けられていることを特徴とするものであってもよい。かかる構成を採用することによって、空気圧式立体物の全周の任意の位置で支持することができる。
【００１５】
さらに、本発明にかかる空気圧式立体物において、前記固定用シート片には、錘を載置可能な錘載置領域を備えていることを特徴とするものであってもよい。固定用シート片に錘を載置する錘載置領域を設けることで、固定用シート片に錘を載置するだけで空気圧式立体物を支持することができる。
【００１６】
さらに、本発明にかかる空気圧式立体物において、前記固定用シート片には、固定具を挿すことができる固定具用挿入孔が設けられていることを特徴とするものであってもよい。かかる構成を採用することによって、ペグ等の杭によって確実に空気圧式立体物を固定することができる。
【００１７】
さらに、本発明にかかる空気圧式立体物において、前記固定用シート片には、錘を収納する収納部を有することを特徴とするものであってもよい。かかる構成を採用することによって、錘を収納部に収納することで空気圧式立体物を支持することができる。また、錘を収納部に収納することができるので、美観性に優れた空気圧式立体物とすることができる。
【００１８】
さらに、本発明にかかる空気圧式立体物は、錘を備えていることを特徴とするものであってもよい。かかる空気圧式立体物によれば、すでに周囲に支持用の錘が設けられているので、改めて固定用シート片を固定する必要がなく、設置するという作業のみで空気圧式立体物を固定することができる。
【００１９】
さらに、本発明にかかる空気圧式立体物において、前記立体外面シートは、除幕可能なように、分割可能に形成されていることを特徴とするものであってもよい。本発明は、底面に開口部を有しているため、比較的大きな立体物を内部に配置することができ、また、床面をそのまま使用することができるため、例えば、自動車の新車発表等において、レッドカーペットを敷設した上に自動車等を載置した状態で、自動車等を移動することなく、空有圧式立体物を設置することができ、除幕した場合にそのままレッドカーペットが視認できるので、好適に除幕用のドームとして使用することができる。
【発明の効果】
【００２０】
本発明にかかる空気圧式立体物によれば、内部に立体物を配置したい場合であっても容易に設置することができる空気圧式立体物を提供することができる。また、地面や床面をそのまま内部の床面として使用することができる空気圧式立体物を提供することができる。さらに、地面や床面に設置した場合に、底辺が大きく膨らむことがなく安定して設置することができる空気圧式立体物を提供することができる。
【図面の簡単な説明】
【００２１】
【図１】図１Ａは、第１実施形態にかかる空気圧式立体物１００を示す斜視図であり、図１Ｂは、図１ＡのＡ−Ａ部の断面図である。
【図２】図２は、第１実施形態にかかる空気圧式立体物１００の別実施形態を示す斜視図である。
【図３】図３は、第１実施形態かかる空気圧式立体物１００の使用例を示す断面図である。
【図４】図４Ａは、第２実施形態にかかる空気圧式立体物１００を示す斜視図であり、図４Ｂは、図４ＡのＡ−Ａ部の断面図である。
【図５】図５は、第３実施形態にかかる空気圧式立体物１００の断面図である。
【図６】図６は、第４実施形態にかかる空気圧式立体物１００の斜視図である。
【図７】図７は、第５実施形態にかかる空気圧式立体物１００の斜視図である。
【発明を実施するための形態】
【００２２】
本発明にかかる空気圧式立体物の実施形態について、図面を参照しつつ詳細に説明する。なお、以下に説明する実施形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号が付されている。
【００２３】
（第１実施形態）
第１実施形態にかかる空気圧式立体物１００が図１に示されている。図１Ａは、空気圧式立体物１００の斜視図であり、図１Ｂは図１ＡのＡ−Ａ部の断面図である。
【００２４】
本実施形態にかかる空気圧式立体物１００は、主として、立体形成外面シート１０と、空気供給手段３０と、固定用シート片５０とを主として備えている。
【００２５】
立体形成外面シート１０は、空気圧式立体物１００の外郭を形成するシートであり、中に供給された空気の圧力によって膨張状態で立体形状を維持するものである。なお、本実施形態では、空気圧式立体物１００の外郭として略球状のドーム形態のものを例として説明するが、外郭の形態としては特に限定するものではなく、円柱形、円錐形、三角錐形その他キャラクターを模したもの等いかなる形態であってもよい。また、ここでいう「膨張」とは、立体形成外面シート１０自体が伸張することを指すのではなく、内圧により立体形状を維持している状態を指す。そのため、立体形成外面シート１０としては、空気不透過性又は空気低透過性のシートが使用される。例えば、空気不透過性のシートとしては、ターポリン等の合成樹脂性のシートが挙げられる。空気低透過性シートは、空気圧式立体物１００とした際に供給される空気の量より立体形成外面シート１０から漏れる空気の量が少ないシートであれば使用することができる。空気低透過性シートとしては、密に編まれた合成樹脂織物等が使用される。立体形成外面シート１０は、底面と側方に配置される空気供給手段３０からの空気取り入れ口１１を除き、密閉された空間となるように縫製、溶着、接着その他の接合方法（以下「接合等」という）によって立体造形されるように接合して作製される。立体形成外面シート１０は、一部にファスナー等を設けることによって任意の場所を開口できるように設けても良い。また除幕式等に好適に使用することができるように、図２に示すように、所定の操作で分割して立体形成外面シート１０が開いて内部が見える様に分割部９０を設けても良い。立体形成外面シート１０によって形成されるドーム状の外郭の底面には、開口部７０が設けられる。第１実施形態においては、底面部を全く設けず全体が開口して形成している状態を示しているが、外周近傍に一部底面を有していても良い（図４参照）。
【００２６】
空気供給手段３０は、電気で駆動する送風機であり、既知の送風機を使用することができ、外気の空気を立体形成外面シート１０の内側に送風することができる構成であれば、特にその構成は限定するものではない。空気供給手段３０は、図１に示すように、空気供給用の供給路３１を設けて外部に配置してもよいし、立体形成外面シート１０に直接に取り入れ口１１を設けて立体形成外面シート１０の内部に配置してもよい。
【００２７】
固定用シート片５０は、立体形成外面シート１０の下方端部又は下方端部近傍から全周にわたって一定幅で外側に延出されたシートであり、上面に錘載置領域を有している。素材としては、立体形成外面シート１０と同じ素材であってもよいし、異なる素材を使用してもよい。固定用シート片５０は、立体形成外面シート１０の下方端部又は下方端部近傍に接合等によって固定されている。この錘載置領域に錘６０を載置することで、空気圧式立体物１００を地面又は床面に支持することができる。
【００２８】
こうして作製された空気圧式立体物１００は、空気供給手段３０を供給することによって、外郭の形状に膨張し、ドーム形を維持した状態で保持される。この際に、底面に開口部７０を有しているため、内部に立体物を配置する場合であっても、上方から被せることで容易に配置することができる。また、床面をそのまま内部の床面として使用することができる。そのため、例えば、図３Ａに示すように、プラネタリウムとして使用したりする場合に、映写機８１を載置したり、椅子８２を設置する場合であっても空気圧式立体物１００を設置する前にこれらを設置した後に上方から被せることで容易に設置することができる。また、床面に直接座るような場合には、シート８３をあらかじめ敷設した状態で設置することで、内部の床面をシート８３とすることができる。また、例えば、図３Ｂに示すように、新車の発表会等において、除幕に使用する場合においても、空気圧式立体物１００の内部空間に対して、かなりの大きさを有する自動車等であっても自動車等を移動することなく、上方から被せることで容易に設置することができる。また、床にレッドカーペット８４を敷設したい場合であっても、そのままレッドカーペット８４を床面に敷設した状態のまま設置することができ、除幕することでレッドカーペット８４が現れるようにすることができる。
【００２９】
また、本実施形態にかかる空気圧式立体物１００の底面は開口部７０が設けられているので、底面が球状に膨らむことはなく、周囲が大きく上方に浮き上がることを防止することができる。そのため、立体形成外面シート１０の下方端部又は下方端部近傍を地面又は床面の近くに配置することができる。また、周囲を支持するための力は底面がある場合と比較して非常に小さくなるため、弱い支持力で支持することができる。
【００３０】
（第２実施形態）
第２実施形態にかかる空気圧式立体物１００が図４に示されている。図４Ａは、空気圧式立体物１００の斜視図であり、図４Ｂは図４ＡのＡ−Ａ部の断面図である。第２実施形態にかかる空気圧式立体物１００は、固定用シート片５０が、立体形成外面シート１０の下方端部又は下方端部近傍から全周にわたって一定幅で内側に延出されている点が第１実施形態と異なる。その他の構成は、第１実施形態と同様であるので、説明を省略する。かかる構成を採用することによって、空気圧式立体物１００を地面又は床面に固定する場所を立体外面シートの内側に配置できる。すなわち、錘を内側に配置することができる。そのため外部から空気圧式立体物１００を支持する錘が外側に露出しないので、美観性に優れた空気圧式立体物１００とすることができる。
【００３１】
（第３実施形態）
第３実施形態にかかる空気圧式立体物１００の断面図が図５に示されている。第３実施形態にかかる空気圧式立体物１００は、固定用シート片５０が立体形成外面シート１０の下方端部又は下方端部近傍から全周にわたって一定幅で内側及び外側の両方に延出されている点が第１実施形態と異なる。その他の構成は、第１実施形態と同様であるので、説明を省略する。かかる構成を採用することによって、内側と外側の両方で空気圧式立体物１００を支持することができるので、より確実に地面又は床面に固定することができる。
【００３２】
（第４実施形態）
第４実施形態にかかる空気圧式立体物１００の固定用シート片５０が図６に示されている。第４実施形態にかかる空気圧式立体物１００は、固定用シート片５０の固定方法のみが異なり、その他の点が同一の構成であるので、その他の構成の説明は省略する。第４実施形態にかかる空気圧式立体物１００の固定用シート片５０は、固定具６５を挿すことができる固定具用挿入孔５２が設けられている。かかる構成を採用することによって、固定具用挿入孔５２を介して固定具６５で地面や床面に差し込むことで空気圧式立体物１００を固定することができる。
【００３３】
（第５実施形態）
第５実施形態にかかる空気圧式立体物１００が図７に示されている。この第５実施形態にかかる空気圧式立体物１００は、固定用シート片５０に錘６０を収納することができる収納部５５を有する点が第１実施形態と異なる。その他の構成は第１実施形態と同様であるので、説明を省略する。第５実施形態にかかる固定用シート片５０は、図７に示すように、錘６０等を収納する収納部５５が設けられており、錘６０自体が外部に露出しないように形成されている。かかる構成を採用することによって、外観に優れた空気圧式立体物１００とすることができる。
【００３４】
なお、収納部５５は、図７に示すように錘６０を出し入れ可能に設けても良いが、錘を内部に収納した状態で周囲を接合して錘６０を取り外すことができないように設けてもよい。かかる構成を採用することによって、あらかじめ支持用の錘６０が設けられているので、改めて支持する作業をすることなく、空気圧式立体物１００を設置するだけで直ちに地面又は床面に支持させることができる。
【００３５】
なお、本発明は上述した実施形態に何ら限定されることはなく、本発明の技術的範囲に属する限り種々の態様で実施し得ることはいうまでもない。
【産業上の利用可能性】
【００３６】
上述した実施の形態で示すように、空気圧式立体物として広告その他の表示物として産業上利用することができる。
【符号の説明】
【００３７】
１０…立体形成外面シート、１１…空気取り出し口、３０…空気供給手段、３１…供給路、５０…固定用シート片、５２…固定具用挿入孔、５５…収納部、６０…錘、６５…固定具、７０…開口部、８１…映写機、８２…椅子、８３…シート、８４…レッドカーペット、９０…分割部、１００…空気圧式立体物
【図１】
2019108791.tif 000003
【図２】
2019108791.tif 000004
【図３】
2019108791.tif 000005
【図４】
2019108791.tif 000006
【図５】
2019108791.tif 000007
【図６】
2019108791.tif 000008
【図７】
2019108791.tif 000009